【手続補正書】
【提出日】平成16年6月14日(2004.6.14)
【手続補正１】
【補正対象書類名】明細書
【補正対象項目名】発明の名称
【補正方法】変更
【補正の内容】
【発明の名称】電子写真画像形成装置及びプロセスカートリッジ
【手続補正２】
【補正対象書類名】明細書
【補正対象項目名】特許請求の範囲
【補正方法】変更
【補正の内容】
【特許請求の範囲】
【請求項１】
モータと、前記モータにより回転駆動される回転体であって、その回転中心軸線上にねじれた連結穴を有する回転体を備えた電子写真画像形成装置本体に着脱可能なプロセスカートリッジであって、
電子写真感光体ドラムと、
前記電子写真感光体ドラムに作用するプロセス手段と、
前記電子写真感光体ドラムの回転中心軸線上に設けられ、前記電子写真感光体ドラムに対して固定された連結突起であって、前記ねじれた連結穴に嵌合されて前記回転体と係合する前記穴と接触する部分の外径よりも前記電子写真感光体ドラム側に、その外径よりも小さい、また、前記穴内部に侵入する外径部を有する連結突起と、
を備えており、
前記装置本体に装着されたプロセスカートリッジの有する前記電子写真感光体ドラムは、前記連結穴と嵌合した前記連結突起を介して前記モータからの回転駆動力を受けることを特徴とするプロセスカートリッジ。
【請求項２】
前記突起は前記穴との当接部が三次元の曲面である請求項１に記載のプロセスカートリッジ。
【請求項３】
前記各曲面は球面である請求項２に記載のプロセスカートリッジ。
【請求項４】
前記各曲面は前記電子写真感光体ドラムの中心から放射状に延びたアームの先端に設けられているものである請求項２または３に記載のプロセスカートリッジ。
【請求項５】
前記各曲面は多角形の平板の角に設けられているものである請求項２または３に記載のプロセスカートリッジ。
【請求項６】
前記各曲面は前記電子写真感光体ドラムの中心に直角な平面上に設けられている請求項２から５の何れか１つに記載のプロセスカートリッジ。
【請求項７】
前記各曲面は前記電子写真感光体ドラムの中心から等しい距離に設けられている請求項６に記載のプロセスカートリッジ。
【請求項８】
前記各曲面は前記平面上において、電子写真感光体ドラムの中心を中心とする円の周方向を等配した位置に設けられている請求項２から７の何れか１つに記載のプロセスカートリッジ。
【請求項９】
前記各曲面は前記電子写真感光体ドラムの軸方向の異なる位置に分配して設けられている請求項２から５の何れか１つに設けられているプロセスカートリッジ。
【請求項１０】
前記突起は多角形の平板の角である請求項１に記載のプロセスカートリッジ。
【請求項１１】
前記角は電子写真感光体ドラムの中心から等しい距離に設けられている請求項１０に記載のプロセスカートリッジ。
【請求項１２】
前記突起は多角形の平板の角が円弧状に面とりされた請求項１に記載のプロセスカートリッジ。
【請求項１３】
前記多角形は正多角形である請求項１０または１２に記載のプロセスカートリッジ。
【請求項１４】
前記連結突起はねじれていない形状である請求項１に記載のプロセスカートリッジ。
【請求項１５】
前記連結穴に前記連結突起が嵌合した状態で前記連結穴が回転するのに応じて、前記連結穴に対する前記連結突起の位置が規定されることを特徴とする請求項１に記載のプロセスカートリッジ。
【請求項１６】
前記連結穴に前記連結突起が嵌合した状態で前記連結穴が回転するのに応じて、前記連結穴の回転中心と前記連結突起の回転中心とが略一致することを特徴とする請求項１または１５に記載のプロセスカートリッジ。
【請求項１７】
前記連結突起は前記連結穴の内面に三箇所で接触することによって前記連結穴に対する位置が規定されることを特徴とする請求項１または１５もしくは１６に記載のプロセスカートリッジ。
【請求項１８】
前記連結突起は前記連結穴に対して位置決めされる部分でもって、前記連結穴から回転駆動力を受けることを特徴とする請求項１または１５もしくは１６に記載のプロセスカートリッジ。
【請求項１９】
前記連結穴に前記連結突起が嵌合した状態で前記連結穴が回転すると、前記連結突起が前記連結穴の方向へ引き込まれた状態で、前記回転体の回転力が前記電子写真感光体ドラムに伝達されることを特徴とする請求項１または１５もしくは１６に記載のプロセスカートリッジ。
【請求項２０】
プロセスカートリッジを着脱可能で記録媒体に画像を形成する電子写真画像形成装置において、
ａ、電子写真感光体ドラムと、
前記電子写真感光体ドラムに作用するプロセス手段と、
前記電子写真感光体ドラムの回転中心軸線上に設けられ、前記電子写真感光体ドラムに対して固定された連結突起であって、前記ねじれた連結穴に嵌合されて前記回転体と係合する前記穴と接触する部分の外径よりも前記電子写真感光体ドラム側に、その外径よりも小さい、また、前記穴内部に侵入する外径部を有する連結突起と、
を備えており、
前記装置本体に装着されたプロセスカートリッジの有する前記電子写真感光体ドラムは、前記連結穴と嵌合した前記連結突起を介して前記モータからの回転駆動力を受けるプロセスカートリッジを取り外し可能に装着するための装着手段と、
ｂ、前記記録媒体を搬送するための搬送手段と、
を有することを特徴とする電子写真画像形成装置。
【手続補正３】
【補正対象書類名】明細書
【補正対象項目名】０００１
【補正方法】変更
【補正の内容】
【０００１】
【発明の属する技術分野】
本発明はプロセスカートリッジ及び電子写真画像形成装置に関するものである。ここで、電子写真画像形成装置とは、電子写真画像形成方式を用いて記録媒体に画像を形成するものである。そして、電子写真画像形成装置の例としては、例えば電子写真複写機、電子写真プリンタ（例えばレーザービームプリンタ、ＬＥＤプリンタ等）、ファクシミリ装置及びワードプロセッサ等が含まれる。
【手続補正４】
【補正対象書類名】明細書
【補正対象項目名】０００５
【補正方法】変更
【補正の内容】
【０００５】
本発明の目的は、電子写真感光体ドラムの回転精度を向上させ得たプロセスカートリッジ及び電子写真画像形成装置を提供することにある。
【手続補正５】
【補正対象書類名】明細書
【補正対象項目名】０００６
【補正方法】変更
【補正の内容】
【０００６】
本発明の他の目的は、駆動力の伝達を行う際に、電子写真感光体ドラムを装置本体側へ引き寄せることによってプロセスカートリッジの装置本体に対する位置決め精度を確保し画像品質を向上させ得るプロセスカートリッジ及び電子写真画像形成装置を提供することにある。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
本出願に係る第１０発明は前記突起は多角形の平板の角である第１の発明に記載のプロセスカートリッジである。
【手続補正１２】
【補正対象書類名】明細書
【補正対象項目名】００２２
【補正方法】変更
【補正の内容】
【００２２】
本出願に係る第１１発明は前記角は電子写真感光体ドラムの中心から等しい距離に設けられている第１０発明に記載のプロセスカートリッジである。
【手続補正１３】
【補正対象書類名】明細書
【補正対象項目名】００２３
【補正方法】変更
【補正の内容】
【００２３】
本出願に係る第１２発明は前記突起は多角形の平板の角が円弧状に面とりされた第１の発明に記載のプロセスカートリッジである。
【手続補正１４】
【補正対象書類名】明細書
【補正対象項目名】００２４
【補正方法】変更
【補正の内容】
【００２４】
本出願に係る第１３発明は前記多角形は正多角形である第１０または第１２発明に記載のプロセスカートリッジである。
【手続補正１５】
【補正対象書類名】明細書
【補正対象項目名】００２５
【補正方法】変更
【補正の内容】
【００２５】
本出願に係る第１４発明は前記連結突起はねじれていない形状である第１の発明に記載のプロセスカートリッジである。
【手続補正１６】
【補正対象書類名】明細書
【補正対象項目名】００２６
【補正方法】変更
【補正の内容】
【００２６】
本出願に係る第１５の発明は前記連結穴に前記連結突起が嵌合した状態で前記連結穴が回転するのに応じて、前記連結穴に対する前記連結突起の位置が規定されることを特徴とする第１の発明に記載のプロセスカートリッジである。
【手続補正１７】
【補正対象書類名】明細書
【補正対象項目名】００２７
【補正方法】変更
【補正の内容】
【００２７】
本出願に係る第１６の発明は前記連結穴に前記連結突起が嵌合して状態で前記連結穴が回転するのに応じて、前記連結穴の回転中心と前記連結突起の回転中心とが略一致することを特徴とする第１または第１５の発明に記載のプロセスカートリッジである。
【手続補正１８】
【補正対象書類名】明細書
【補正対象項目名】００２８
【補正方法】変更
【補正の内容】
【００２８】
本出願に係る第１７発明は前記連結突起は前記連結穴の内面に三箇所で接触することによって前記連結穴に対する位置が規定されることを特徴とする第１または第１５もしくは第１６の発明に記載のプロセスカートリッジである。
【手続補正１９】
【補正対象書類名】明細書
【補正対象項目名】００２９
【補正方法】変更
【補正の内容】
【００２９】
本出願に係る第１８の発明は前記連結突起は前記連結穴に対して位置決めされる部分でもって、前記連結穴から回転駆動力を受けることを特徴とする第１または第１５もしくは第１６の発明に記載のプロセスカートリッジである。
【手続補正２０】
【補正対象書類名】明細書
【補正対象項目名】００３０
【補正方法】変更
【補正の内容】
【００３０】
本出願に係る第１９の発明は前記連結穴に前記連結突起が嵌合した状態で前記連結穴が回転すると、前記連結突起が前記連結穴の方向へ引き込まれた状態で、前記回転体の回転力が前記電子写真感光体ドラムに伝達されることを特徴とする第１または第１５もしくは第１６の発明に記載のプロセスカートリッジである。
【手続補正２１】
【補正対象書類名】明細書
【補正対象項目名】００３１
【補正方法】変更
【補正の内容】
【００３１】
本出願に係る第２０の発明はプロセスカートリッジを着脱可能で記録媒体に画像を形成する電子写真画像形成装置において、
ａ、電子写真感光体ドラムと、前記電子写真感光体ドラムに作用するプロセス手段と、前記電子写真感光体ドラムの回転中心軸線上に設けられ、前記電子写真感光体ドラムに対して固定された連結突起であって、前記ねじれた連結穴に嵌合されて前記回転体と係合する前記穴と接触する部分の外径よりも前記電子写真感光体ドラム側に、その外径よりも小さい、また、前記穴内部に侵入する外径部を有する連結突起と、を備えており、前記装置本体に装着されたプロセスカートリッジの有する前記電子写真感光体ドラムは、前記連結穴と嵌合した前記連結突起を介して前記モータからの回転駆動力を受けるプロセスカートリッジを取り外し可能に装着するための装着手段と、
ｂ、前記記録媒体を搬送するための搬送手段と、を有することを特徴とする電子写真画像形成装置である。
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００９８
【補正方法】変更
【補正の内容】
【００９８】
即ち、プロセスカートリッジＢを装置本体１３に装着すると感光体ドラム７の長手方向他端側に取り付けた反駆動側のドラムフランジ２５に形成したドラム軸７ｄ（図１１参照）と同軸心の円筒形ガイド９ａＬが装置本体１３の受け部分のＵ溝１５ｂ（図１０参照）に入り込んで隙間なく嵌合して位置決めされ、且つドラムフランジ２５と一体的に成型した平歯ギア２５ｂが転写ローラ４に駆動力を伝達するギア（図示せず）と噛合する。一方、感光体ドラム７の長手方向一端側（駆動側）は、クリーニングフレーム１２ｃに設けたボス２４ａが装置本体１３に設けたＵ溝１５ｄに支持される。そして、開閉カバー１４が閉じられることによつて、凹部１８ａが水平に移動して凸部１７ａに入り込む（図２４（ａ）参照）。
【手続補正２５】
【補正対象書類名】明細書
【補正対象項目名】０１３５
【補正方法】削除
【補正の内容】
【手続補正２６】
【補正対象書類名】明細書
【補正対象項目名】０１３７
【補正方法】変更
【補正の内容】
【０１３７】
【発明の効果】
以上のとおり、本発明によれば、自動調心作用により、駆動伝達の回転精度を向上でき駆動時の画像形成装置本体のねじれた連結穴の内面と電子写真感光体ドラムの複数の突起が接して電子写真感光体ドラムが有する軸継手部材が画像形成装置本体に備える軸継手部材に対して軸方向へ引き込まれることにより、中心の位置決めと、軸方向の位置決めを精度良く行うことができる。
【手続補正２７】
【補正対象書類名】明細書
【補正対象項目名】０１３８
【補正方法】変更
【補正の内容】
【０１３８】
軸継手部材の連結突起は、この軸継手部材と係合する軸継手部材のねじれた穴の内面と当接する当接部を三次元の曲面としたことにより、突起がねじれた穴の内面とスムースにすべり軸継手の係脱が円滑で突起の耐久性を増す。
【手続補正２８】
【補正対象書類名】明細書
【補正対象項目名】０１４４
【補正方法】変更
【補正の内容】
【０１４４】
各曲面は前記電子写真感光体ドラムの軸方向の異なる位置に分配して設けられていると、軸継手部材の突起の一部が軸継手部材の凹部と係合するまでの回転角が少なくなるので軸継手の結合が一層す早く行われる。
【手続補正２９】
【補正対象書類名】明細書
【補正対象項目名】０１４５
【補正方法】変更
【補正の内容】
【０１４５】
電子写真感光体ドラムに有する軸継手部材は、電子写真感光体ドラムの軸方向の異なる位置における電子写真感光体ドラムの中心に直角な複数の夫々の平面上に、画像形成装置本体側の軸継手部材の前記多角形のねじれた穴との当接部が曲面の突起を有する場合は、軸継手の耐久性が向上し、電子写真感光体ドラムと画像形成装置本体側から駆動伝達の回転精度を長く保つことができる。
【手続補正３０】
【補正対象書類名】明細書
【補正対象項目名】０１４６
【補正方法】削除
【補正の内容】
【手続補正３１】
【補正対象書類名】明細書
【補正対象項目名】０１４７
【補正方法】削除
【補正の内容】
【手続補正３２】
【補正対象書類名】明細書
【補正対象項目名】０１４８
【補正方法】削除
【補正の内容】